(57)【要約】      （修正有）【課題】電子装置に供給するコネクタを有するプラグを提供する。【解決手段】上ケーシング１０、２つの銅端子２０，３０、固定台４０、栓刃台５０、２つの栓刃６０，７０及び下ケーシング８０を含む。上ケーシング１０の一方の側部には、電源アダプタに挿入接続されるコネクタ１２が延伸される。栓刃台５０は、枢軸５１を有する。下ケーシング８０は、上ケーシング１０と対向接合される。以上の構造により、２つの栓刃６０，７０を縦方向に回転させると、２つの栓刃６０，７０が下ケーシング８０外側において枢軸運動し、位置決め柱が第１の位置決め溝４２中に係合されることにより、２つの栓刃６０，７０が位置決めされる。この際、２つの栓刃６０，７０とコネクタ１２とは、導通状態となり、電源アダプタ中に電流を流すことができる。【選択図】図１ａ
0003179905.tif 000002
【実用新案登録請求の範囲】
【請求項１】
上ケーシング、２つの銅端子、固定台、栓刃台、２つの栓刃及び下ケーシングを備えるコネクタを有するプラグであって、
前記上ケーシングは、一方の側部に、電源アダプタに挿入接続されるコネクタが延伸し、前記コネクタは、複数の端子溝を有し、
前記２つの銅端子は、一方の端部が徐々に拡張する形状である上、前記コネクタの端子溝中にそれぞれ配置され、他方の端部には、接触板が延伸され、
前記固定台は、第１の固定溝を有し、前記第１の固定溝の底部は、第１の位置決め溝を有し、前記第１の固定溝の上部は、第２の位置決め溝を有し、
前記栓刃台は、枢軸を有し、前記枢軸の一方の側部は、前記第１の固定溝中に収容される位置決め柱を有し、前記枢軸両端は、切換台をそれぞれ有し、前記切換台上は、底部が中空である台孔を有し、
前記２つの栓刃は、一方の端部にストッパ板を有し、他方の端部に穴を有し、前記ストッパ板は、前記台孔中に配置され、前記台孔外部に露出し、
前記下ケーシングは、前記上ケーシングと対向接合され、前記固定台が収容される中空収容室を有し、下ケーシング表面上は、前記２つの栓刃が外部に露出する２つのケーシング溝を有し、前記２つのケーシング溝は、底部が中空である上、端部に表面孔を有し、前記２つのケーシング溝間は、前記枢軸の他方の側部が収容される第２の固定溝を有し、
前記コネクタを有するプラグの組み立てが完了した後、前記２つの栓刃を縦方向に回転させると、前記２つの栓刃は、前記下ケーシング外側において枢軸運動する上、前記位置決め柱が前記第１の位置決め溝中に係合されることにより、前記２つの栓刃が位置決めされ、これと同時に、前記２つの栓刃のストッパ板が前記接触板と接触することにより、前記複数の端子溝と前記２つの栓刃とが導通状態となることを特徴とするコネクタを有するプラグ。
【請求項２】
前記上ケーシング及び前記下ケーシングは、絶縁材料から製造され、前記コネクタは、３つの円弧状のソケットを有することを特徴とする請求項１に記載のコネクタを有するプラグ。
【請求項３】
前記固定台は、上端上に２つの第１の凸ブロックをさらに有し、下端に第２の凸ブロックを有し、前記第１の凸ブロック及び前記第２の凸ブロックの前端は、斜面をそれぞれ有することを特徴とする請求項１に記載のコネクタを有するプラグ。
【請求項４】
前記下ケーシングは、２つの凹溝及び舌片をさらに有し、前記２つの凹溝に前記２つの第１の凸ブロックが係合されることにより、前記固定台が固定支持され、前記舌片は、前記第２の固定溝の一方の側部に位置し、前記舌片の端部は、係合孔を有し、前記係合孔に前記第２の凸ブロックが収容されることにより、前記固定台が固定支持されることを特徴とする請求項３に記載のコネクタを有するプラグ。
【請求項５】
前記表面孔の幅は、前記ケーシング溝より大きいことを特徴とする請求項１に記載のコネクタを有するプラグ。
【請求項６】
前記上ケーシングの底部は、２つの板溝及び２つの位置決めブロックを有し、前記２つの板溝には、前記銅端子が収容され、前記２つの位置決めブロックは、前記固定台を位置決めすることを特徴とする請求項１に記載のコネクタを有するプラグ。
【請求項７】
上ケーシング、２つの銅端子、固定台、栓刃台、２つの栓刃及び下ケーシングを備えるコネクタを有するプラグであって、
前記上ケーシングは、一方の側部に、電源アダプタに挿入接続されるコネクタが延伸し、前記コネクタは、複数の端子溝を有し、
前記２つの銅端子は、一方の端部が徐々に拡張する形状である上、前記コネクタの端子溝中にそれぞれ配置され、他方の端部には、接触板が延伸され、
前記固定台は、第１の固定溝及び舌片を有し、
前記栓刃台は、枢軸を有し、前記枢軸の一方の側部は、前記第１の固定溝中に収容される位置決め凸ブロックを有し、前記枢軸両端は、切換台をそれぞれ有し、前記切換台上は、底部が中空である台孔を有し、
前記２つの栓刃は、一方の端部にストッパ板を有し、他方の端部に穴を有し、前記ストッパ板は、前記台孔中に配置され、前記台孔外部に露出し、
前記下ケーシングは、前記上ケーシングと対向接合され、前記固定台が収容される中空収容室を有し、下ケーシング表面上は、前記２つの栓刃が外部に露出する２つのケーシング溝を有し、前記２つのケーシング溝は、底部が中空である上、端部に表面孔を有し、前記２つのケーシング溝間は、前記枢軸の他方の側部が収容される第２の固定溝を有し、
前記コネクタを有するプラグの組み立てが完了した後、前記２つの栓刃を縦方向に回転させると、前記２つの栓刃は、前記下ケーシング外側において枢軸運動する上、前記位置決め凸ブロックが前記舌片と平行になることにより、前記２つの栓刃が位置決めされ、これと同時に、前記２つの栓刃のストッパ板が前記接触板と接触することにより、前記複数の端子溝と前記２つの栓刃とが導通状態となることを特徴とするコネクタを有するプラグ。
【請求項８】
前記上ケーシング及び前記下ケーシングは、絶縁材料から製造され、前記コネクタは、３つの円弧状のソケットを有することを特徴とする請求項７に記載のコネクタを有するプラグ。
【請求項９】
前記固定台の上端は、第１の位置決め溝をさらに有し、前記第１の位置決め溝の両側は、第２の位置決め溝をそれぞれ有することを特徴とする請求項７に記載のコネクタを有するプラグ。
【請求項１０】
前記上ケーシングの前記第１の位置決め溝に対応する部分は、第１の凸ブロックを有し、前記第１の凸ブロックが前記第１の位置決め溝に係合されることにより、前記固定台は、前記上ケーシング中に固定支持され、前記第２の固定溝の両側は、第２の凸ブロックをそれぞれ有し、前記第２の凸ブロックが前記第２の位置決め溝中にそれぞれ係合されることにより、前記固定台は、前記下ケーシング中に固定支持されることを特徴とする請求項９に記載のコネクタを有するプラグ。
【請求項１１】
前記表面孔の幅は、前記ケーシング溝より大きいことを特徴とする請求項７に記載のコネクタを有するプラグ。
【請求項１２】
前記上ケーシングの底部は、２つの板溝及び２つの位置決めブロックを有し、前記２つの板溝には、前記銅端子が収容され、前記２つの位置決めブロックは、前記固定台を位置決めすることを特徴とする請求項７に記載のコネクタを有するプラグ。
【考案の詳細な説明】
【技術分野】
【０００１】
本考案は、コネクタに関し、特に、一方の端部が栓刃を介して交流電源と接続され、他方の端部がコネクタを介して電源アダプタと接続されることにより、交流電源を直流電源に変換して電子装置に供給するコネクタを有するプラグに関する。
【背景技術】
【０００２】
一般に、従来のプラグは、コンセントのソケットに挿入接続されることによって交流電源を取得する２つの栓刃を有するのみである。また、市場においては、収納可能な栓刃を有するプラグも存在し、使用しない際は、栓刃をプラグ本体中に収納することができる。これにより、栓刃が酸化したり、子供が誤って使用して事故が発生したりするのを防止することができる。
【０００３】
一般に、上述の従来のプラグは、出荷される際に、既にケーブルが接続されている。ケーブルの一方の端部は、コンピュータなどの電子装置のプラグに挿入接続されるソケットを有する。また、プラグを介して電子装置に供給される交流電源は、電子装置内部の電源供給装置により、直流電源に変換されてから使用される。
【０００４】
一般に、ノートブック型パソコンやデジタルカメラなどの携帯型電子装置は、体積が限定されるため、外部の電源アダプタにより、交流電源を直流電源に変換した後、電子装置に供給する必要がある。しかし、上述のプラグ及びソケットの組み合わせは、電源アダプタに挿入接続することができないため、別途購入する必要がある。これにより、ユーザへの経済的負担が増えるため、欠点であった。
【０００５】
上述の従来の電源ソケットの欠点を解決するために、本考案は、コネクタを有するプラグを提供する。
【先行技術文献】
【特許文献】
【０００６】
【特許文献１】特開２００２−２４６１１８号公報
【考案の概要】
【考案が解決しようとする課題】
【０００７】
本考案の主な目的は、一方の端部が栓刃を介して交流電源と接続され、他方の端部がコネクタを介して電源アダプタと接続されることにより、交流電源を直流電源に変換して電子装置に供給するコネクタを有するプラグを提供することにある。
本考案のもう１つの目的は、２つの栓刃を下ケーシング中に収納すると共に、交流電源を遮断することができるコネクタを有するプラグを提供することにある。
【課題を解決するための手段】
【０００８】
上述の課題を解決するために、本考案のコネクタを有するプラグは、上ケーシング、２つの銅端子、固定台、栓刃台、２つの栓刃及び下ケーシングを含む。
【０００９】
上ケーシングは、一方の側部に、電源アダプタに挿入接続されるコネクタが延伸する。コネクタは、複数の端子溝を有する。
【００１０】
２つの銅端子は、一方の端部が徐々に拡張する形状である上、コネクタの端子溝中にそれぞれ配置される。２つの銅端子の他方の端部には、接触板が延伸される。
【００１１】
固定台は、第１の固定溝を有する。第１の固定溝の底部は、第１の位置決め溝を有する。第１の固定溝の上部は、第２の位置決め溝を有する。
【００１２】
栓刃台は、枢軸を有する。枢軸の一方の側部は、第１の固定溝中に収容される位置決め柱を有する。枢軸両端は、切換台をそれぞれ有する。切換台上は、底部が中空である台孔を有する。
【００１３】
２つの栓刃は、一方の端部にストッパ板を有し、他方の端部に穴を有する。ストッパ板は、台孔中に配置され、台孔外部に露出する。
【００１４】
下ケーシングは、上ケーシングと対向接合される。下ケーシングは、固定台が収容される中空収容室を有する。下ケーシング表面上は、２つの栓刃が外部に露出する２つのケーシング溝を有する。２つのケーシング溝は、底部が中空である上、端部に表面孔を有する。２つのケーシング溝間は、枢軸の他方の側部が収容される第２の固定溝を有する。
【００１５】
コネクタを有するプラグの組み立てが完了した後、２つの栓刃を縦方向に回転させると、２つの栓刃は、ケーシング溝間において枢軸運動する上、位置決め柱が第１の位置決め溝中に係合されることにより、２つの栓刃が位置決めされる。これと同時に、２つの栓刃のストッパ板が接触板と接触することにより、複数の端子溝と２つの栓刃とが導通状態となる。
【００１６】
上述の課題を解決するために、本考案のコネクタを有するプラグは、上ケーシング、２つの銅端子、固定台、栓刃台、２つの栓刃及び下ケーシングを含む。
【００１７】
上ケーシングは、一方の側部に、電源アダプタに挿入接続されるコネクタが延伸する。コネクタは、複数の端子溝を有する。
【００１８】
２つの銅端子は、一方の端部が徐々に拡張する形状である上、コネクタの端子溝中にそれぞれ配置される。２つの銅端子の他方の端部には、接触板が延伸される。
【００１９】
固定台は、第１の固定溝及び舌片を有する。
【００２０】
栓刃台は、枢軸を有する。枢軸の一方の側部は、位置決めブロックを有する。枢軸の一方の側部は、第１の固定溝中に収容される。枢軸両端は、切換台をそれぞれ有する。切換台上は、底部が中空である台孔を有する。
【００２１】
２つの栓刃は、一方の端部にストッパ板を有し、他方の端部に穴を有する。ストッパ板は、台孔中に配置され、台孔外部に露出する。
【００２２】
下ケーシングは、上ケーシングと対向接合される。下ケーシングは、固定台が収容される中空収容室を有する。下ケーシング表面上は、２つの栓刃が外部に露出する２つのケーシング溝を有する。２つのケーシング溝は、底部が中空である上、端部に表面孔を有する。２つのケーシング溝間は、枢軸の他方の側部が収容される第２の固定溝を有する。
【００２３】
コネクタを有するプラグの組み立てが完了した後、２つの栓刃を縦方向に回転させると、２つの栓刃は、下ケーシング外側において枢軸運動する上、位置決め凸ブロックが舌片と平行になることにより、２つの栓刃が位置決めされる。これと同時に、２つの栓刃のストッパ板が接触板と接触することにより、複数の端子溝と２つの栓刃とが導通状態となる。
【考案の効果】
【００２４】
本考案のコネクタを有するプラグは、一方の端部が栓刃を介して交流電源と接続され、他方の端部がコネクタを介して電源アダプタと接続されることにより、交流電源を直流電源に変換して電子装置に供給することができる。また、２つの栓刃を下ケーシング中に収納すると共に、交流電源を遮断することができる。
【図面の簡単な説明】
【００２５】
【図１ａ】本考案の第１実施形態によるコネクタを有するプラグを示す分解斜視図である。
【図１ｂ】本考案の第１実施形態によるコネクタを有するプラグを示す分解斜視図である。
【図２】本考案の第１実施形態による固定台を示す斜視図である。
【図３】本考案の第１実施形態による上ケーシングと固定台と栓刃台と２つの栓刃と２つの銅端子とを組み合わせた状態を示す斜視図である。
【図４】本考案の第１実施形態による下ケーシングを示す斜視図である。
【図５ａ】本考案の第１実施形態によるコネクタを有するプラグを組み立てた後、下ケーシング外側に栓刃を引き出した状態を示す斜視図である。
【図５ｂ】本考案の第１実施形態によるコネクタを有するプラグを組み立てた後、下ケーシング中に栓刃を収納した状態を示す斜視図である。
【図６ａ】本考案の第１実施形態によるコネクタを有するプラグを組み立てた後、下ケーシング外側に栓刃を引き出した状態を示す断面図である。
【図６ｂ】本考案の第１実施形態によるコネクタを有するプラグを組み立てた後、下ケーシング中に栓刃を収納した状態を示す断面図である。
【図７ａ】本考案の第２実施形態によるコネクタを有するプラグを示す分解斜視図である。
【図７ｂ】本考案の第２実施形態によるコネクタを有するプラグを示す分解斜視図である。
【図８】本考案の第２実施形態による固定台を示す斜視図である。
【図９ａ】本考案の第２実施形態によるコネクタを有するプラグを組み立てた後、下ケーシング外側に栓刃を引き出した状態を示す斜視図である。
【図９ｂ】本考案の第２実施形態によるコネクタを有するプラグを組み立てた後、下ケーシング中に栓刃を収納した状態を示す斜視図である。
【図１０ａ】本考案の第２実施形態によるコネクタを有するプラグを組み立てた後、下ケーシング外側に栓刃を引き出した状態を示す断面図である。
【図１０ｂ】本考案の第２実施形態によるコネクタを有するプラグを組み立てた後、下ケーシング中に栓刃を収納した状態を示す断面図である。
【考案を実施するための形態】
【００２６】
（第１実施形態）
図１ａ〜図６ｂを参照する。図１ａは、本考案の第１実施形態によるコネクタを有するプラグを示す分解斜視図である。図１ｂは、本考案の第１実施形態によるコネクタを有するプラグを示す分解斜視図である。図２は、本考案の第１実施形態による固定台を示す斜視図である。図３は、本考案の第１実施形態による上ケーシングと固定台と栓刃台と２つの栓刃と２つの銅端子とを組み合わせた状態を示す斜視図である。図４は、本考案の第１実施形態による下ケーシングを示す斜視図である。図５ａは、本考案の第１実施形態によるコネクタを有するプラグを組み立てた後、下ケーシング外側に栓刃を引き出した状態を示す斜視図である。図５ｂは、本考案の第１実施形態によるコネクタを有するプラグを組み立てた後、下ケーシング中に栓刃を収納した状態を示す斜視図である。図６ａは、本考案の第１実施形態によるコネクタを有するプラグを組み立てた後、下ケーシング外側に栓刃を引き出した状態を示す断面図である。図６ｂは、本考案の第１実施形態によるコネクタを有するプラグを組み立てた後、下ケーシング中に栓刃を収納した状態を示す断面図である。
【００２７】
図１ａ〜図６ｂに示すように、本考案の第１実施形態によるコネクタを有するプラグは、ノートブック型パソコン、小型ノートブック型パソコンなどの携帯型電子装置に使用される（これらのみに限定されない）。本考案の第１実施形態によるコネクタを有するプラグは、上ケーシング１０、２つの銅端子２０，３０、固定台４０、栓刃台５０、２つの栓刃６０，７０及び下ケーシング８０が組み合わされて構成される。
【００２８】
上ケーシング１０の一方の側部には、電源アダプタ（図示せず）に挿入接続されるコネクタ１２が延伸される。コネクタ１２は、３つの端子溝１２１，１２２，１２３を有する。コネクタ１２は、例えば３つのソケットを有する（これのみに限定されない）。また、上ケーシング１０の底部は、２つの板溝１３を有する。また、上ケーシング１０の底部は、２つの位置決めブロック１４を有する。２つの位置決めブロック１４は、２つの板溝１３間に位置し、固定台４０を位置決めする。
【００２９】
２つの銅端子２０，３０の一方の端部は、徐々に拡張する形状である上、コネクタ１２の端子溝１２１，１２２中に配置される。また、２つの銅端子２０，３０の他方の端部には、接触板２１，３１が延伸される。接触板２１，３１は、板溝１３中にそれぞれ収容される。各接触板２１，３１の端部は、鉤部２２，３２を有する。鉤部２２，３２は、板溝１３の端部に配置される。
【００３０】
固定台４０は、第１の固定溝４１を有する。第１の固定溝４１の形状は、弧形を呈する（これのみに限定されない）。また、第１の固定溝４１の底部は、第１の位置決め溝４２を有する。第１の固定溝４１の上部は、第２の位置決め溝４３を有する。また、図２に示すように、固定台４０の上端上は、２つの第１の凸ブロック４４を有する。また、固定台４０の下端は、第２の凸ブロック４５を有する。また、２つの第１の凸ブロック４４の前端は、斜面４４１をそれぞれ有する。第２の凸ブロック４５の前端は、斜面４５１を有する。
【００３１】
栓刃台５０は、枢軸５１を有する。枢軸５１の形状は、円形を呈する（これのみに限定されない）。枢軸５１の一方の側部は、第１の固定溝４１中に収容することができる。枢軸５１の両端は、切換台５２を有する。切換台５２上は、底部が中空である台孔５２１をさらに有する。台孔５２１には、栓刃６０，７０がそれぞれ収容される。また、枢軸５１の一方の側部は、第１の位置決め溝４２又は第２の位置決め溝４３中に係合される位置決め柱５１１を有する。
【００３２】
２つの栓刃６０，７０の一方の端部は、ストッパ板６１，７１をそれぞれ有する。２つの栓刃６０，７０の他方の端部は、穴６２，７２をそれぞれ有する。ストッパ板６１，７１は、台孔５２１中に配置され、台孔５２１から外部に露出する。
【００３３】
下ケーシング８０は、上ケーシング１０と対向接合される。下ケーシング８０は、固定台４０が収容される中空収容室８１を有する。また、下ケーシング表面８２上は、２つのケーシング溝８３を有する。ケーシング溝８３の底部は、中空であり、端部は、表面孔８４を有する。表面孔８４の幅は、ケーシング溝８３より大きい。また、表面孔８４には、切換台５２が収容される上、栓刃６０，７０が外部に露出する。２つのケーシング溝８３間は、第２の固定溝８５を有する。第２の固定溝８５の形状は、半円形を呈する（これのみに限定されない）。第２の固定溝８５には、枢軸５１の他方の側部が固定支持される。上ケーシング１０及び下ケーシング８０は、プラスチックなどの絶縁材料から製造される（これのみに限定されない）。また、下ケーシング８０は、２つの凹溝８６をさらに有する。凹溝８６の位置は、第１の凸ブロック４４に対応し、第１の凸ブロック４４が係合される。これにより、固定台４０を下ケーシング８０中に簡単に固定支持することができる。
【００３４】
また、下ケーシング８０中は、舌片８７をさらに有する。舌片８７は、第２の固定溝８５の一方の側部に位置する。また、舌片８７の端部は、係合孔８８を有する。係合孔８８の位置は、第２の凸ブロック４５に対応し、第２の凸ブロック４５が収容される。これにより、固定台４０が固定支持される。
【００３５】
図３に示すように、組み立てる際、先ず、２つの銅端子２０，３０を２つの端子溝１２１，１２２中に嵌入する上、接触板２１，３１を板溝１３中に収容する。また、固定台４０を上ケーシング１０上に配置し、２つの位置決めブロック１４により、固定台４０を位置決めする。次に、栓刃台５０の枢軸５１を第１の固定溝４１中に嵌入し、位置決めして固定支持する。次に、２つの栓刃６０，７０を台孔５２１中にそれぞれ嵌入し、ストッパ板６１，７１を接触板２１，３１上に当接する。これにより、栓刃台５０及び栓刃６０，７０を上ケーシング１０上に固定支持することができる。
【００３６】
次に、下ケーシング８０を上ケーシング１０上に対向接合し、栓刃台５０の枢軸５１の他方の側部を第２の固定溝８５中に嵌入する。また、２つの第１の凸ブロック４４を２つの凹溝８６中にそれぞれ係合し、第２の凸ブロック４５を係合孔８８に係合し、位置決め及び固定支持する。また、２つの栓刃６０，７０の一部をケーシング溝８３の外部に露出させる上、２つの栓刃６０，７０を外側に押圧することにより、２つの栓刃６０，７０を表面孔８４中にそれぞれ配置する。また、位置決め柱５１１を第１の位置決め溝４２中に係合し、位置決めする。これにより、２つの栓刃６０，７０のストッパ板６１，７１を接触板２１，３１にそれぞれ接触させることができる。以上の工程により、本考案の第１実施形態によるコネクタを有するプラグの組み立てが完了する。組み立てが完了したコネクタを有するプラグのコネクタ１２が電源アダプタ（図示せず）中に挿入接続されると、銅端子２０，３０を介し、交流電源が電源アダプタ中に流れる。
【００３７】
図５ａ及び図６ａを参照する。図５ａ及び図６ａに示すように、本考案の第１実施形態によるコネクタを有するプラグを使用する際、２つの栓刃６０，７０を外側に押圧し、ケーシング溝８３に沿って表面孔８４中に進入させ、位置決め柱５１１を第１の位置決め溝４２中に係合することにより、位置決めする。また、２つの栓刃６０，７０のストッパ板６１，７１を接触板２１，３１とそれぞれ接触させ、電源供給状態を形成する。
【００３８】
図５ｂ及び図６ｂを参照する。図５ｂ及び図６ｂに示すように、本考案の第１実施形態によるコネクタを有するプラグを収納する際、２つの栓刃６０，７０を内側に押圧し、ケーシング溝８３及び表面孔８４に沿って下ケーシング８０中に進入させる。この際、位置決め柱５１１を第２の位置決め溝４３中に係合する。最後に２つの栓刃６０，７０をケーシング溝８３と同一平面にする。これにより、便利に収納することができる。この際、２つの栓刃６０，７０のストッパ板６１，７１は、接触板２１，３１と分離されるため、電源供給状態が遮断される。
【００３９】
（第２実施形態）
図７ａ〜図１０ｂを参照する。図７ａは、本考案の第２実施形態によるコネクタを有するプラグを示す分解斜視図である。図７ｂは、本考案の第２実施形態によるコネクタを有するプラグを示す分解斜視図である。図８は、本考案の第２実施形態による固定台を示す斜視図である。図９ａは、本考案の第２実施形態によるコネクタを有するプラグを組み立てた後、下ケーシング外側に栓刃を引き出した状態を示す斜視図である。図９ｂは、本考案の第２実施形態によるコネクタを有するプラグを組み立てた後、下ケーシング中に栓刃を収納した状態を示す斜視図である。図１０ａは、本考案の第２実施形態によるコネクタを有するプラグを組み立てた後、下ケーシング外側に栓刃を引き出した状態を示す断面図である。図１０ｂは、本考案の第２実施形態によるコネクタを有するプラグを組み立てた後、下ケーシング中に栓刃を収納した状態を示す断面図である。
【００４０】
図７ａ〜図１０ｂに示すように、本考案の第２実施形態によるコネクタを有するプラグは、ノートブック型パソコン、小型ノートブック型パソコンなどの携帯型電子装置に使用される（これらのみに限定されない）。本考案の第２実施形態によるコネクタを有するプラグは、上ケーシング１１０、２つの銅端子１２０，１３０、固定台１４０、栓刃台１５０、２つの栓刃１６０，１７０及び下ケーシング１８０が組み合わされて構成される。
【００４１】
上ケーシング１１０の一方の側部には、電源アダプタ（図示せず）に挿入接続されるコネクタ１１２が延伸される。コネクタ１１２は、３つの端子溝１１２１，１１２２，１１２３を有する。コネクタ１１２は、例えば３つの円弧状のソケットを有する（これのみに限定されない）。また、上ケーシング１１０の底部は、２つの板溝１１３を有する。また、上ケーシング１１０の底部は、２つの位置決めブロック１１４を有する。２つの位置決めブロック１１４は、２つの板溝１１３間に位置し、固定台１４０を位置決めする。また、２つの板溝１１３間は、第１の凸ブロック１１５を有する。
【００４２】
２つの銅端子１２０，１３０の一方の端部は、徐々に拡張する形状である上、コネクタ１１２の端子溝１１２１，１１２２中に配置される。また、２つの銅端子１２０，１３０の他方の端部には、接触板１２０１，１３０１が延伸される。接触板１２０１，１３０１は、板溝１１３中にそれぞれ収容される。各接触板１２０１，１３０１の端部は、鉤部１２０２，１３０２を有する。鉤部１２０２，１３０２は、板溝１１３の端部に配置される。
【００４３】
固定台１４０は、第１の固定溝１４１を有する。第１の固定溝１４１の形状は、弧形を呈する（これのみに限定されない）。また、第１の固定溝１４１の上部は、舌片１４２を有する。固定台１４０の上端は、第１の位置決め溝１４３をさらに有する。第１の位置決め溝１４３の両側は、第２の位置決め溝１４４をそれぞれ有する。第１の位置決め溝１４３には、第１の凸ブロック１１５が係合される。これにより、固定台１４０を上ケーシング１１０中に簡単に固定支持することができる。
【００４４】
栓刃台１５０は、枢軸１５１を有する。枢軸１５１の形状は、円形を呈する（これのみに限定されない）。枢軸１５１の一方の側部は、第１の固定溝１４１中に収容することができる。枢軸１５１の両端は、切換台１５２を有する。切換台１５２上は、底部が中空である台孔１５２１を有する。台孔１５２１には、栓刃１６０，１７０がそれぞれ収容される。また、枢軸１５１の一方の側部は、舌片１４２に当接される位置決め凸ブロック１５１１を有する。
【００４５】
２つの栓刃１６０，１７０の一方の端部は、ストッパ板１６１，１７１をそれぞれ有する。２つの栓刃１６０，１７０の他方の端部は、穴１６２，１７２をそれぞれ有する。ストッパ板１６１，１７１は、台孔１５２１中に配置され、台孔１５２１から外部に露出する。
【００４６】
下ケーシング１８０は、上ケーシング１１０と対向接合される。下ケーシング１８０は、固定台１４０が収容される中空収容室１８１を有する。また、下ケーシング表面１８２上は、２つのケーシング溝１８３を有する。ケーシング溝１８３の底部は、中空であり、端部は、表面孔１８４を有する。表面孔１８４の幅は、ケーシング溝１８３より大きい。また、表面孔１８４には、切換台１５２が収容される上、栓刃１６０，１７０が外部に露出する。２つのケーシング溝１８３間は、第２の固定溝１８５を有する。第２の固定溝１８５の形状は、半円形を呈する（これのみに限定されない）。第２の固定溝１８５には、枢軸１５１の他方の側部が固定支持される。上ケーシング１１０及び下ケーシング１８０は、プラスチックなどの絶縁材料から製造される（これのみに限定されない）。また、第２の固定溝１８５の両側は、第２の凸ブロック１８６をそれぞれ有する。第２の凸ブロック１８６は、第２の位置決め溝１４４中にそれぞれ係合される。これにより、固定台１４０を下ケーシング１８０中に便利に固定支持することができる。
【００４７】
組み立てる際、先ず、２つの銅端子１２０，１３０を２つの端子溝１１２１，１１２２中に嵌入する上、接触板１２０１，１３０１を板溝１１３中に収容する。また、固定台１４０を上ケーシング１１０上に配置し、２つの位置決めブロック１１４により、固定台１４０を位置決めする。次に、栓刃台１５０の枢軸１５１を第１の固定溝１４１中に嵌入し、位置決めして固定支持する。次に、２つの栓刃１６０，１７０を台孔１５２１中にそれぞれ嵌入する。これにより、栓刃台１５０及び栓刃１６０，１７０を上ケーシング１１０上に固定支持することができる。
【００４８】
次に、下ケーシング１８０を上ケーシング１１０上に対向接合し、栓刃台１５０の枢軸１５１の他方の側部を第２の固定溝１８５中に嵌入する。また、第１の位置決め溝１４３を第１の凸ブロック１１５に係合し、第２の凸ブロック１８６を第２の位置決め溝１４４中にそれぞれ係合し、位置決め及び固定支持する。また、２つの栓刃１６０，１７０の一部をケーシング溝１８３の外部に露出させる上、２つの栓刃１６０，１７０を外側に押圧することにより、２つの栓刃１６０，１７０を表面孔１８４中にそれぞれ配置する。また、位置決め凸ブロック１５１１を舌片１４２の底部に配置させ、位置決めする。これにより、２つの栓刃１６０，１７０のストッパ板１６１，１７１を接触板１２０１，１３０１にそれぞれ接触させることができる。以上の工程により、本考案の第２実施形態によるコネクタを有するプラグの組み立てが完了する。組み立てが完了したコネクタを有するプラグのコネクタ１１２が電源アダプタ（図示せず）中に挿入接続されると、銅端子１２０，１３０を介し、交流電源が電源アダプタ中に流れる。
【００４９】
図９ａ及び図１０ａを参照する。図９ａ及び図１０ａに示すように、本考案の第２実施形態によるコネクタを有するプラグを使用する際、２つの栓刃１６０，１７０を外側に押圧し、ケーシング溝１８３に沿って表面孔１８４中に進入させ、位置決め凸ブロック１５１１を舌片１４２の底部と平行にすることにより、位置決めする。また、２つの栓刃１６０，１７０のストッパ板１６１，１７１を接触板１２０１，１３０１とそれぞれ接触させ、電源供給状態を形成する。
【００５０】
図９ｂ及び図１０ｂを参照する。図９ｂ及び図１０ｂに示すように、本考案の第２実施形態によるコネクタを有するプラグを収納する際、２つの栓刃１６０，１７０を内側に押圧し、ケーシング溝１８３及び表面孔１８４に沿って下ケーシング１８０中に進入させる。この際、位置決め凸ブロック１５１１を舌片１４２の底部に当接し、継続して力を加えることにより、舌片１４２の抵抗力を克服し、舌片１４２を開いて舌片１４２の上端に位置決めし、２つの栓刃１６０，１７０とケーシング溝１８３とを同一平面にする。これにより、便利に収納することができる。この際、２つの栓刃１６０，１７０のストッパ板１６１，１７１は、接触板１２０１，１３０１と分離されるため、電源供給状態が遮断される。
【００５１】
上述したことから分かるように、本考案のコネクタを有するプラグは、一方の端部が栓刃を介して交流電源と接続され、他方の端部がコネクタを介して電源アダプタと接続されることにより、交流電源を直流電源に変換して電子装置に供給することができる。また、２つの栓刃を下ケーシング中に収納すると共に、交流電源を遮断することができる。従って、本考案のコネクタを有するプラグは、従来の電源アダプタと比較して進歩性を有する。
【００５２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００５３】
１０  上ケーシング
１２  コネクタ
１２１  端子溝
１２２  端子溝
１２３  端子溝
１３  板溝
１４  位置決めブロック
２０  銅端子
３０  銅端子
２１  接触板
３１  接触板
２２  鉤部
３２  鉤部
４０  固定台
４１  第１の固定溝
４２  第１の位置決め溝
４３  第２の位置決め溝
４４  第１の凸ブロック
４４１  斜面
４５  第２の凸ブロック
４５１  斜面
５０  栓刃台
５１  枢軸
５１１  位置決め柱
５２  切換台
５２１  台孔
６０  栓刃
７０  栓刃
６１  ストッパ板
７１  ストッパ板
６２  穴
７２  穴
８０  下ケーシング
８１  中空収容室
８２  下ケーシング表面
８３  ケーシング溝
８４  表面孔
８５  第２の固定溝
８６  凹溝
８７  舌片
８８  係合孔
１１０  上ケーシング
１１２  コネクタ
１１２１  端子溝
１１２２  端子溝
１１２３  端子溝
１１３  板溝
１１４  位置決めブロック
１１５  第１の凸ブロック
１２０  銅端子
１３０  銅端子
１２０１  接触板
１３０１  接触板
１２０２  鉤部
１３０２  鉤部
１４０  固定台
１４１  第１の固定溝
１４２  舌片
１４３  第１の位置決め溝
１４４  第２の位置決め溝
１５０  栓刃台
１５１  枢軸
１５１１  位置決め凸ブロック
１５２  切換台
１５２１  台孔
１６０  栓刃
１７０  栓刃
１６１  ストッパ板
１７１  ストッパ板
１６２  穴
１７２  穴
１８０  下ケーシング
１８１  中空収容室
１８２  下ケーシング表面
１８３  ケーシング溝
１８４  表面孔
１８５  第２の固定溝
１８６  第２の凸ブロック
【図１ａ】
0003179905.tif 000003
【図１ｂ】
0003179905.tif 000004
【図２】
0003179905.tif 000005
【図３】
0003179905.tif 000006
【図４】
0003179905.tif 000007
【図５ａ】
0003179905.tif 000008
【図５ｂ】
0003179905.tif 000009
【図６ａ】
0003179905.tif 000010
【図６ｂ】
0003179905.tif 000011
【図７ａ】
0003179905.tif 000012
【図７ｂ】
0003179905.tif 000013
【図８】
0003179905.tif 000014
【図９ａ】
0003179905.tif 000015
【図９ｂ】
0003179905.tif 000016
【図１０ａ】
0003179905.tif 000017
【図１０ｂ】
0003179905.tif 000018